(57)【要約】【課題】シャッター装置において、全閉状態からの手動による開放操作を容易に行う。【解決手段】シャッターカーテン下端の座板６に、手動操作レバー７を上下方向に回動可能に設け、手動操作レバー７の先端側には当接部８が設けてあり、当接部８は、手動操作レバー７の基端側を上動させて手動操作レバー７を回動させることで、下方に突出可能であり、開口部全閉状態において、手動操作レバー７の基端側を上動させることで、当接部８が開口下枠１０に当接して押し付けられた時の下枠１０からの反力を利用してシャッターカーテン４を上動させる。【選択図】図４
2008261154.tif 000002
【特許請求の範囲】
【請求項１】
シャッターカーテン下端の座板に手動操作機構を設け、前記手動操作機構の先端側には当接部が設けてあり、前記当接部は、前記手動操作機構の基端側の上動によって下方に突出可能であり、
開口部全閉状態において、手動操作機構の基端側を上動させることで、前記当接部が開口下枠ないし床面に当接して押し付けられた時の当該下枠ないし床面からの反力を利用してシャッターカーテンを上動させる、シャッターの手動操作装置。
【請求項２】
前記手動操作機構は、シャッターカーテン下端の座板に上下方向に回動可能に設けた手動操作レバーであって、前記手動操作レバーの先端側には当接部が設けてあり、前記当接部は、手動操作レバーの基端側を上動させて手動操作レバーを回動させることで、下方に突出可能である、請求項１に記載の手動操作装置。
【請求項３】
前記当接部は開口下枠ないし床面に接触する周面を備えている、請求項１、２いずれかに記載の手動操作装置。
【請求項４】
前記手動操作レバーの基端側には、長尺状の操作部材が連結されている、請求項１乃至３いずれかに記載の手動操作装置。
【請求項５】
シャッターには施錠装置が設けてあり、前記施錠装置は、シャッターカーテン側に設けた係止部と、開口枠側に設けた被係止部と、を有し、開口部全閉時に、前記係止部が被係止部に係止するように構成されており、
前記手動操作機構は、係止部と被係止部との係止状態を解除する機構を兼用しており、前記手動操作機構の基端側を上動させることで、前記突出している係止部が退避して前記係止状態が解除されるように構成されている、請求項１乃至４いずれかに記載の手動操作装置。
【発明の詳細な説明】
【技術分野】
【０００１】
本発明は、シャッターの手動操作装置に係り、詳しくは、開口部全閉状態からの開放操作力を軽減することができる手動操作装置に関するものである。
【背景技術】
【０００２】
従来、窓開口部に設けられる窓シャッターでは、シャッターケース内の巻取シャフトに巻装されたシャッターカーテンを、その座板に設けた操作用の紐を下方に引き操作することで引き下ろして窓開口部を閉鎖し、閉鎖状態にあるシャッターカーテンを開放する際には、シャッターカーテンを手動で持ち上げることで、巻取シャフトに内蔵されたバランススプリングの付勢力でバランスされながらシャッターカーテンが上昇して窓開口部を開放する構成となっている。同種の手動式のシャッターが特許文献１に開示されている。
【０００３】
通常、手動シャッターの下限付近は、全閉状態からの開放操作を楽にするために、巻取シャフトに内蔵された付勢スプリングを、いわゆる上がり勝手のアンバランス量に設定してあるが、上昇方向の付勢力を大きくすると逆に閉鎖操作が重くなってしまうので、適度なアンバランス量を設定する必要がある。また、下限付近においては、シャッター巻径の変化や、巻取シャフトから垂下するスラット枚数が多いことによって、シャッターモーメントが不規則に変化するため、上がり勝手に設定しても、開放操作が重い箇所が生じ得る。さらに、大型の開口部にシャッターを対応させようとすれば、シャッターカーテン重量が増加して、さらに操作が重くなる原因となっている。
【特許文献１】特開２００４−３３７０
【発明の開示】
【発明が解決しようとする課題】
【０００４】
本発明は、シャッター装置において、全閉状態からの手動による開放操作を容易に行うことを目的とするものである。
【課題を解決するための手段】
【０００５】
かかる課題を達成するために本発明が採用した技術手段は、シャッターカーテン下端の座板に手動操作機構を設け、前記手動操作機構の先端側には当接部が設けてあり、前記当接部は、前記手動操作機構の基端側の上動によって下方に突出可能であり、開口部全閉状態において、手動操作機構の基端側を上動させることで、前記当接部が開口下枠ないし床面に当接して押し付けられた時の当該下枠ないし床面からの反力を利用してシャッターカーテンを上動させる、シャッターの手動操作装置、である。好ましい形態では、前記手動操作機構は、シャッターカーテン下端の座板に上下方向に回動可能に設けた手動操作レバーである。より具体的には、シャッターカーテン下端の座板に、手動操作レバーを上下方向に回動可能に設け、前記手動操作レバーの先端側には当接部が設けてあり、前記当接部は、手動操作レバーの基端側を上動させて手動操作レバーを回動させることで、下方に突出可能であり、開口部全閉状態において、手動操作レバーの基端側を上動させることで、前記当接部が開口下枠ないし下面に当接して押し付けられた時の当該下枠ないし下面からの反力を利用してシャッターカーテンを上動させる、シャッターの手動操作装置、である。手動操作機構は、上記のような手動操作レバーに限定されるものではなく、手動操作機構を、複数の部材かなるリンク機構で構成してもよい。例えば、手動操作機構を、手動操作機構の先端側の第１リンク、手動操作機構の基端側の第２リンク、第１リンクの上端と第２リンクの下端とを連結する第３リンク、とから構成し、第１リンクの下端に当接部が形成され、第３リンクは中間の回動支点を中心として上下回動自在であり、第２リンクを上動させることで、第３リンクの基端側が上動し、第３リンクの先端側が下動して、第１リンクの下端の当接部を下方に突出させるように構成してもよい。
【０００６】
当接部は、手動操作機構（例えば、手動操作レバー）の先端側の部分（同じ材質から）であってもよいが、開口下枠の保護等を考慮すると、比較的軟質の部材ないし弾性部材、例えば、樹脂やゴム等から形成することが望ましい。また、当接部の形状は限定されないが、一つの好ましい態様では、前記当接部は開口下枠ないし床面に接触する周面を備えており、このような当接部としては、ローラが例示される。
【０００７】
一つの好ましい態様では、前記手動操作機構（例えば、手動操作レバー）の基端側には、長尺状の操作部材が連結されている。長尺状の操作部材としては、操作紐、棒状部材、が例示される。
【０００８】
一つの態様では、手動操作機構（例えば、手動操作レバー）は、シャッターの錠装置の解錠機構（解錠レバー）を兼用している。より具体的には、シャッターには施錠装置が設けてあり、前記施錠装置は、シャッターカーテン側に設けた係止部と、開口枠側に設けた被係止部と、を有し、開口部全閉時に、前記係止部が被係止部に係止するように構成されており、前記手動操作機構（例えば、手動操作レバー）は、係止部と被係止部との係止状態を解除する手動操作機構（例えば、手動操作レバー）を兼用しており、前記手動操作機構（例えば、手動操作レバー）の基端側を上動させることで、前記突出している係止部が退避して前記係止状態が解除されるように構成されている。上記開口枠側に設けた被係止部において、開口枠側とは、具体的には、開口部左右のガイドレール、あるいは、開口下枠ないし床面が挙げられる。一つの態様では、前記係止部は、開口部全閉時に、シャッターカーテン両端部からガイドレール内に突出するラッチバーであり、前記被係止部は、ガイドレール内に設けられ、前記ラッチバーが係止するラッチ受である。尚、施錠装置は、上記のものに限定されるものではなく、例えば、係止部が座板から下方に突出して、下枠内に設けた被係止部に係止するものでもよい（特開２００２−３６４２７５参照）。
【発明の効果】
【０００９】
本発明では、開口部全閉状態において、手動操作機構（例えば、手動操作レバー）の基端側を上動させるという簡単な動作で、前記当接部が開口下枠ないし床面に当接して押し付けられた時の当該下枠ないし床面からの反力を利用してシャッターカーテンを上動させるものであり、さらに、手動操作機構（例えば、手動操作レバー）において、基端側が力点、回動支点が支点、当接部と開口下枠ないし床面との接触点が作用点として機能し、てこの原理によって、手動操作機構（例えば、手動操作レバー）の基端側を上動させる力が、当接部が開口下枠ないし床面を押し付けるより大きな力となり、下枠ないし床面から受ける反力によってシャッターカーテンの下端の座板を上動させる力が生じる。この力によって開放初期時のシャッターの手動開放操作力が補助される。したがって、全閉状態からの手動による開放操作を容易に行うことができる。また、下限アンバランス量（上がり勝手の）が小さくてもシャッターの開放操作が可能となるため、閉鎖操作が重くなることを防止することができる。
【００１０】
前記当接部が開口下枠ないし床面に接触する周面を備えているものでは、作用点として働く、当接部と開口下枠ないし床面との接触点を良好に確保することができる。
【００１１】
前記手動操作機構（例えば、手動操作レバー）の基端側に、長尺状の操作部材が連結されているものでは、手動操作機構（例えば、手動操作レバー）の上動を容易に行うことができ、また、当該操作部材は、開口部全開状態からシャッターカーテンを降下させる際の操作部材としても用いることができる。
【００１２】
手動操作機構（例えば、手動操作レバー）が、シャッターの錠装置の解除機構（例えば、解錠レバー）を兼用しているものでは、より少ない部品点数で手動式シャッター装置を構成することができ、また、手動操作機構（例えば、手動操作レバー）の基端側を上動させるというワンステップで、解錠及び開放操作を行うことができる。
【発明を実施するための最良の形態】
【００１３】
本発明の実施形態を図面に基づいて詳細に説明する。図１は窓シャッターの縦断面図であり、窓シャッターは、窓装置１の屋外側に配設されている。窓装置１は、窓枠１ａと、窓枠１ａに左右方向に移動自在に設けられた引き違い構成の窓障子１ｂと、からなる。窓シャッターは、窓枠１ａの上方の躯体から持ち出し状に設けたシャッターケース２と、シャッターケース２内に設けた巻取シャフト３と、上端が巻取シャフト３に連結され、巻取シャフト３の回転に伴って当該巻取シャフト３に巻き取られ、あるいは繰り出されるシャッターカーテン４と、窓開口部の左右位置で離間対向状に立設したガイドレール５と、を備えており、シャッターカーテン４が、その幅方向両端部がガイドレール５に案内されて昇降することにより、窓開口部を開放、閉鎖するように構成されている。尚、図１では、開口部の全開状態と全閉状態の両方の状態のシャッターカーテン４を図示している。
【００１４】
図２は、窓シャッターを構成するシャッターカーテン４の下方部位を示す正面図及び側面図である。シャッターカーテン４は、複数枚のスラット４０を上下に連設して形成されており、下端には座板６が設けてある。座板６は、開口幅方向に延出する長尺部材であって、スラット４０に連結された立ち上がり状の板部６Ａと、板部６Ａの下方部位から水平状に延出する底板６０と、底板６０から対向状にさらに下方に延出する垂片６１、６２が形成されている。図示の例では、一方の垂片６１は、板部６Ａの下方の延出部から形成されている。図４（Ｂ）に示すように、開口部全閉状態では、水切板１０の先端に形成された溝部１０Ａ内に垂片６２が落ち込んで、垂片６２の下端が溝部１０Ａの底部に当接した状態となる。底板６０の上面には、幅方向両端部に位置して緩衝部材６３が設けてある。
【００１５】
シャッターカーテン４の下端に設けられた座板６には、板部６Ａの室内側に位置して、手動操作レバー７が設けてある。手動操作レバー７は、回動支点Ｐを介して上下方向に回動可能に座板６に設けてある。手動操作レバー７の先端側には当接部としての当接ローラ８が設けてあり、手動操作レバー７の基端側には操作紐９の一端が連結されており、操作紐９の他端には吊玉９０が設けてある。好ましい態様例では、当接ローラ８が回転可能に手動操作レバー７の先端部に設けてあるが、手動操作レバー７の先端側に非回転当接部（例えば、周面を備えた非回転部材）を設けてもよい。操作紐９の引き操作で全開状態からシャッターカーテン４を降下させて開口部の閉鎖を行うようになっている。吊玉９０には図示しない磁石を有しており、磁石を介してスラット４０に装着可能になっている。
【００１６】
手動操作レバー７は、先端側の当接ローラ８が座板６の底板６０の上側に位置して退避している第１姿勢（図４（Ａ）、図５（Ａ）、図６（Ａ）参照）と、この姿勢から基端側を上方に持ち上げて上動させることで、手動操作レバー７が回動して、先端側の当接ローラ８が座板６の底板６０から下方に突出する第２姿勢（図４（Ｃ）、図５（Ｂ）、図６（Ｂ）参照）との間で回動可能に構成されている。また、図３の下図に示すように、底板６０には、手動操作レバー７の下方への突出を可能とするべく長孔６０Ａが形成されている。手動操作レバー７は、付勢手段（後述するスプリング１８ａ，１８ｂ）によって、第１姿勢を保持するように付勢されている。
【００１７】
本発明に係る窓シャッターにおいて、窓開口部を閉鎖するシャッターカーテン４を開放する場合には、手動で操作紐９を引っ張って手動操作レバー７の基端側を上方に回動させる。既述のとおり、図４（Ｂ）に示すように、開口部全閉状態では、開口部下面を構成する水切板１０の先端に形成された溝部１０Ａ内に、座板６の垂片６２が落ち込んで、垂片６２の下端が溝部１０Ａの底部に当接した状態となっている。手動操作レバー７の先端側の当接ローラ８は、底板６０の上側で、かつ、溝部１０Ａを形成する片１０Ｂの上方に位置している。
【００１８】
この状態から、手動操作レバー７の基端側を上動させると、手動操作レバー７が回動支点Ｐを中心に回動し、手動操作レバー７の先端側が下動して座板６の底板６０から下方に突出し、手動操作レバー７の先端側の当接ローラ８が水切板１０の溝部１０Ａを形成する片１０Ｂの上端に当接して押し付けられる。手動操作レバー７の先端側の当接ローラ８が片１０Ｂを下方に押すことで、上方に向かう反力が生じる。この時、手動操作レバー７において、基端側が力点、回動支点Ｐが支点、当接ローラ８と片１０Ｂとの接触点が作用点として機能し、てこの原理によって、手動操作レバー７の基端側を上動させる力が、当接ローラ８が片１０Ｂを押し付けるより大きな力となり、片１０Ｂから受ける反力によってシャッターカーテン４の下端の座板６を上動させる力が生じる。てこの原理を良好に利用するためには、力点から支点までの距離が、支点から作用点までの距離よりも大きいことが望ましいことは当業者に容易に理解される。
【００１９】
したがって、反力によって生じる座板６を上動させる力が、初動の開放操作力を補助し、シャッターカーテン４がある程度上昇した後は、巻取シャフト３を巻き取り方向に付勢するバランススプリング（図示せず）の巻き取り付勢力にバランスされながら、シャッターカーテン４が上昇して窓開口部を全開状態に開放する。
【００２０】
図示の例では、手動操作レバー７は、シャッター錠の解錠レバーを兼用している。錠装置は、座板６に設けられ、その先端が座板６の端部からガイドレール内に向かって突出する左右のラッチバー１１ａ，１１ｂと、ガイドレール５内の下端部位に設けられ、シャッター全閉時にラッチバー１１ａ，１１ｂの先端が係止するラッチ受け１２ａ，１２ｂと、ラッチバー１１ａ，１１ｂの先端をガイドレール内に突出させる方向に付勢する手段（スプリング１８ａ，１８ｂ）と、手動操作レバー７の基端側の上方への回動操作に連動してラッチバー１１ａ，１１ｂを退避させてラッチ受け１２ａ，１２ｂとの係止状態を解除する連動機構と、を備えている。
【００２１】
連動機構は、座板６の板部６Ａの室内側に取り付けられた取付ベース１３と、取付ベース１３に長さ方向中央部位の支点Ｐ１を介して回動自在に枢支された回転体１４と、取付ベース１３に左右方向に移動自在に設けられ、左右のラッチバー１１ａ，１１ｂの基端側がそれぞれ連結される左右のラッチバー連結体１５ａ，１５ｂと、を有している。ラッチバー連結体１５ａ，１５ｂの基端側（ラッチバー１１ａ，１１ｂが連結される側とは反対側）には長孔１６ａ，１６ｂが形成されており、回転体１４の両端部に設けた軸部１４ａ，１４ｂがそれぞれの長孔１６ａ，１６ｂに案内されて回転体１４が回動する。回転体１４の回動に連動して、ラッチバー連結体１５ａ，１５ｂが左右方向に移動する。一方の軸部１４ａは、手動操作レバー７と回転体１４との連結軸を構成している。取付ベース１３には、左右端部側にそれぞれ位置して、水平方向に延びる長孔１３ａ，１３ｂが形成されており、ラッチバー連結体１５ａ，１５ｂの先端側が軸部１７ａ，１７ｂを介して長孔１３ａ，１３ｂに沿って水平方向に移動可能となっている。軸部１７ａ，１７ｂは、ラッチバー１１ａ，１１ｂとラッチバー連結体１５ａ，１５ｂとの連結軸を構成している。ラッチバー連結体１５ａ，１５ｂの先端側と取付ベース１３の端部との間にはスプリング１８ａ，１８ｂが設けてあり、スプリング１８ａ，１８ｂによって、ラッチバー連結体１５ａ，１５ｂがガイドレール５側に付勢されており、したがって、ラッチバー１１ａ，１１ｂの先端がガイドレール５内に突出するようになっている。図３に示すように、連動機構が搭載された取付ベース１３には、ベースカバー１３Ａが取り付けられる。尚、連動機構のより詳細な構成については、特開２００７−６３８２６を参照することができる。また、連動機構の構成は、図示の例に限定されるものではなく、手動操作レバー７の基端側の上動に連動して施錠状態が解錠されるものであれば他の構成であってもよい。
【００２２】
このように構成された手動操作装置において、全開状態にある開口部を閉鎖する時には、操作紐９を下方に引っ張ることで、操作紐９を介して巻取シャフト３に巻装されたシャッターカーテン４に下降させる力を与えると、シャッターカーテン４が自重を助けに下降して行く。この時、ラッチバー１１ａ，１１ｂの先端はガイドレール５内に突出した状態で下降するが、シャッターカーテン４が全閉位置に近づくと、ラッチバー１１ａ，１１ｂの先端はラッチ受け１２ａ，１２ｂの傾斜面に案内されて退避して行き、当該傾斜面から外れると同時に、ラッチ受け１２ａ，１２ｂの下面の下方に突出して、開口部全閉位置で、自動的にラッチ受け１２ａ，１２ｂと係止状態となる。
【００２３】
全閉状態にある開口部を開放する時には、操作紐９を上方に引っ張ることで、操作紐９を介して手動操作レバー７の基端側を上動させ、連動機構を介してラッチバー１１ａ，１１ｂの先端が退避してラッチ受け１２ａ，１２ｂとの係止状態が解除されてシャッターカーテン４の上昇が可能となり、同時に、手動操作レバー７の先端側が下方に回動して座板６の底板６０から下方に突出し、手動操作レバー７の先端側の当接ローラ８が片１０Ｂを下方に押すことで、上方に向かう反力が生じる。この時、手動操作レバー７において、基端側が力点、回動支点Ｐが支点、当接ローラ８と片１０Ｂとの接触点が作用点として機能し、てこの原理によって、手動操作レバー７の基端側を上動させる力が、当接ローラ８が片１０Ｂを押し付けるより大きな力となり、片１０Ｂから受ける反力によってシャッターカーテン４の下端の座板６を上動させる力が生じる。したがって、この座板６を上動させる力が初動の開放操作力を補助し、シャッターカーテン４がある程度上昇した後は、巻取シャフト３を巻き取り方向に付勢するバランススプリング（図示せず）の巻き取り付勢力にバランスされながら、シャッターカーテン４が上昇して開口部を全開状態に開放する。
【産業上の利用可能性】
【００２４】
本発明は、窓シャッターに利用することが可能である。
【図面の簡単な説明】
【００２５】
【図１】窓シャッター装置の縦断面図であり、開口部の全開状態と全閉状態の両方の状態におけるシャッターカーテン下端の座板の位置を示している。
【図２】シャッターカーテンの下方部位の正面図であり、ガイドレールが点線で示してある。
【図３】上図は座板の斜視図であり、下図は上図において取付ベースのカバーを外した状態を示している。
【図４】座板の正面図及び側面図を示し、（Ａ）は手動操作レバーが第１姿勢にある状態を示し、（Ｂ）は（Ａ）と類似の図であって、下枠及び当接ローラの位置を示した図であって、（Ｃ）は（Ｂ）の状態から手動操作レバーの基端側が上動して、第２姿勢となった状態を示す図である。
【図５】（Ａ）は手動操作レバーが収納姿勢にある状態を示し、（Ｂ）は手動操作レバーの基端側が上動した状態を示す。
【図６】図５の部分拡大図であって、（Ａ）は手動操作レバーが収納姿勢にある状態を示し、（Ｂ）は手動操作レバーの基端側が上動した状態を示す。
【符号の説明】
【００２６】
４  シャッターカーテン
６  座板
７  手動操作レバー
８  当接ローラ
１０  水切板
【図１】
2008261154.tif 000003
【図２】
2008261154.tif 000004
【図３】
2008261154.tif 000005
【図４】
2008261154.tif 000006
【図５】
2008261154.tif 000007
【図６】
2008261154.tif 000008